(57)【特許請求の範囲】
【請求項１】
溶接電流設定部と、溶接電圧設定部とを備え、第１の可変抵抗器の可変端子を前記溶接電流設定部と接続し、第２の可変抵抗器の可変端子を前記溶接電圧設定部と接続し、前記第１の可変抵抗器の回転軸と前記第２の可変抵抗器の回転軸とを連動し、第２の可変抵抗器の一方の固定端子に第３の可変抵抗器の固定端子を接続するとともに、前記第３の可変抵抗器の可変端子を自らの固定端子の一方に接続し、前記第２の可変抵抗器の他方の固定端子に第４の可変抵抗器の固定端子を接続するとともに、前記第４の可変抵抗器の可変端子を自らの固定端子の一方に接続し、前記第３の可変抵抗器の回転軸と前記第４の可変抵抗器の回転軸とを連動し、前記第２の可変抵抗器と前記第３の可変抵抗器との間の抵抗値が高くなるときには、前記第２の可変抵抗器と前記第４の可変抵抗器との間の抵抗値が低くなり、前記第２の可変抵抗器と前記第３の可変抵抗器との間の抵抗値が低くなるときには、前記第２の可変抵抗器と前記第４の可変抵抗器との間の抵抗値が高くなるアーク溶接装置。
【請求項２】
溶接電流が大のときは溶接電圧も大となり、前記溶接電流が小のときは前記溶接電圧も小となる請求項１記載のアーク溶接装置。
【発明の詳細な説明】
【０００１】
【産業上の利用分野】
本発明は、アーク溶接装置、特に溶接条件の一元調整を行うアーク溶接装置に関するものである。
【０００２】
【従来の技術】
一般にアーク溶接装置は、溶接電源部に溶接電流設定部と溶接電圧設定部とが設けられ、溶接電源部と制御ケーブルで接続された遠隔制御部に設けられた可変抵抗器にて溶接電流・溶接電圧を調整するようになっている。また、個々の溶接電流に対応する最適な溶接電圧が自動的に決定されるようになっているものが最近多くなってきている。このように溶接電流に最適な溶接電圧が自動的に決定することを溶接条件の一元調整と呼んでいる。
【０００３】
このような溶接条件の一元調整が行われるのは、アーク溶接において、被溶接物の板厚や形状に最も適した溶接電流および溶接電圧の設定を行う作業がかなりの熟練と経験を要するためであり、最近のアーク溶接装置ではこのような溶接作業者の溶接条件設定の煩わしさを軽減するためにマイクロコンピュータを組み込んだものも出てきている。
【０００４】
以下に従来のマイクロコンピュータを組み込んだアーク溶接装置について図面を用いて説明する。
【０００５】
図２は、従例のアーク溶接装置の概略構成図である。図２において、アーク溶接装置は、溶接電源部１１と遠隔制御部１２とからなっており、この間は図示しない制御ケーブルで接続されている。５は溶接電流設定部、６は溶接電圧設定部、７は溶接電流調整用可変抵抗器、８は溶接電圧微調整用可変抵抗器、９はマイクロコンピュータ、１０は一元化溶接条件データテーブルの入っているＲＯＭである。
【０００６】
以上のように構成された従来のアーク溶接装置について、以下その動作について説明する。溶接電流調整用可変抵抗器７によって設定された溶接電流設定値と、溶接電圧微調整用可変抵抗器８によって設定された溶接電圧設定値は、マイクロコンピュータ９に加えられる。このマイクロコンピュータ９では、それぞれの可変抵抗器７、８によって設定された溶接電流設定値と溶接電圧設定値に対応する溶接電流と溶接電圧を得るために必要なデータを一元化溶接条件データテーブルの入っているＲＯＭ１０から引き出し、溶接電流設定部５と溶接電圧設定部６に加えている。溶接電流設定部５ではマイクロコンピュータ９からの信号を受けて、溶接電流調整用可変抵抗器７によって設定された溶接電流になるように溶接電流を制御する。同様に溶接電圧設定部６では溶接電圧微調整用可変抵抗器８によって設置された溶接電圧になるように出力電圧をコントロールする。
【０００７】
すなわち、従例のアーク溶接装置では、適切なアーク溶接を行うために必要な溶接条件である溶接電圧と溶接電流の組み合わせがセットになってＲＯＭの中に入っていて、このデータをマイコンを使って取り出すように構成している。
【０００８】
【発明が解決しようとする課題】
しかしながら、従来のアーク溶接装置で溶接出力条件の一元的な調整を可能にするため、マイクロコンピュータ９や書換不可能なＲＯＭ１０を使用しているが、このマイクロコンピュータ９やＲＯＭ１０は外部ノイズに対して弱く、また、このためノイズに対し保護回路が複雑になり溶接装置の製造コストが高くなるといった問題点を有していた。
【０００９】
本発明は、上記従来の問題点を解決するもので、極めて簡単な回路構成によって溶接出力条件の一元的な調整を可能にしたアーク溶接装置を提供することを目的とする。
【００１０】
【課題を解決するための手段】
上記目的を達成するために、本発明のアーク溶接装置は、溶接電流設定部と、溶接電圧設定部とを備え、第１の可変抵抗器の可変端子を前記溶接電流設定部と接続し、第２の可変抵抗器の可変端子を前記溶接電圧設定部と接続し、前記第１の可変抵抗器の回転軸と前記第２の可変抵抗器の回転軸とを連動し、第２の可変抵抗器の一方の固定端子に第３の可変抵抗器の固定端子を接続するとともに、前記第３の可変抵抗器の可変端子を自らの固定端子の一方に接続し、前記第２の可変抵抗器の他方の固定端子に第４の可変抵抗器の固定端子を接続するとともに、前記第４の可変抵抗器の可変端子を自らの固定端子の一方に接続し、前記第３の可変抵抗器の回転軸と前記第４の可変抵抗器の回転軸とを連動し、前記第２の可変抵抗器と前記第３の可変抵抗器との間の抵抗値が高くなるときには、前記第２の可変抵抗器と前記第４の可変抵抗器との間の抵抗値が低くなり、前記第２の可変抵抗器と前記第３の可変抵抗器との間の抵抗値が低くなるときには、前記第２の可変抵抗器と前記第４の可変抵抗器との間の抵抗値が高くなるものである。
【００１２】
【作用】
この構成によって、溶接電流を調整する第１の可変抵抗器を回転すると、溶接電圧を調整する第２の可変抵抗器が回転し、溶接電圧も同時に変化する。
【００１３】
また、第２の可変抵抗器の二個の固定端子にそれぞれ接続されている連動した回転軸を持つ第３の可変抵抗器と第４の可変抵抗器を回転すると、第２の可変抵抗器で設定された溶接電圧値が上下に変化するので、溶接電圧の微調整が可能である。
【００１４】
【実施例】
以下、本発明の一実施例におけるアーク溶接装置について図面を用いて説明する。なお、従来と同様の構成については同様の符号を付し説明を省略する。
【００１５】
図１は、本発明の一実施例におけるアーク溶接装置の概略構成図である。図１において、１は溶接電流を調整する第１の可変抵抗器、２は溶接電圧を調整する第２の可変抵抗器、３および４は溶接電圧の微調整を行う第３の可変低構器と第４の可変抵抗器、５は溶接電流設定部、６は溶接電圧設定部である。また、１１は遠隔制御部であり、可変抵抗器１、２、３、４を含んでいる。１２は溶接電源部であり、上記溶接電流設定部５と溶接電圧設定部６とを内蔵している。
【００１６】
第１の可変抵抗器１と第２の可変抵抗器２、第３の可変抵抗器３と第４の可変抵抗器４は、それぞれ同じ回転軸を持つ二連式可変抵抗器である。
【００１７】
第２の可変抵抗器２の２個のそれぞれの固定端子には第３の可変抵抗器３と第４の可変抵抗器４の固定端子が接続され、第１の可変抵抗器１の可変端子は溶接電流設定部５に、第２の可変抵抗器２の可変端子は溶接電圧設定部６に接続されている。
【００１８】
第３の可変抵抗器３と第４の可変抵抗器４の可変端子は、それぞれの可変抵抗器の固定端子の一端に接続されており、第２の可変抵抗器と第３の可変抵抗器との間の抵抗値が高くなるときには、第２の可変抵抗器と第４の可変抵抗器との間の抵抗値が低くなり、第２の可変抵抗器と第３の可変抵抗器との間の抵抗値が低くなるときには、第２の可変抵抗器と第４の可変抵抗器との間の低耕地が高くなるようになっている。
【００１９】
以上のような構成において、遠隔制御部１２の溶接電流を調整する第１の可変抵抗器１を回転すると、溶接電圧を調整する第２の可変抵抗器２が第１の可変抵抗器１と同一軸上に設けられているため、同時に溶接電圧の調整もできる。すなわち、溶接電流を大きくすると溶接電圧も大きくなり、溶接電流を小さくすると溶接電流も小さくなるようにしているのである。なお、本実施例においては、溶接電流を大きくすると溶接電圧が１次関数的に大きくなるものである。
【００２０】
また、第２の可変抵抗器２の固定端子に接続されている、同一の回転軸を持つ第３の可変抵抗器３と第４の可変抵抗器４を回転すると、第２の可変抵抗器２の可変端子の電位も上下にスライドして変化し、溶接電圧設定部６に加わる入力信号が微妙に変化するので溶接電圧の微調整が可能である。
【００２１】
【発明の効果】
本発明では、可変抵抗器を用いるだけの簡単な構成で溶接条件の一元調整を可能にしているので、外部ノイズに対し強い。また、ノイズに対し保護回路が必要でなく、アーク溶接装置の製造コストが安くできる利点がある。
【図面の簡単な説明】
【図１】本発明の一実施例におけるアーク溶接装置の概略構成図
【図２】従来のアーク溶接装置の概略構成図
【符号の説明】
１    第１の可変抵抗器
２    第２の可変抵抗器
３    第３の可変抵抗器
４    第４の可変抵抗器
５    溶接電流設定部
６    溶接電圧設定部
７    溶接電流調整用可変抵抗器
８    溶接電圧微調整用可変抵抗器
９    マイクロコンピュータ
１０  一元化溶接条件データテーブルの入っているＲＯＭ
１１  溶接電源部
１２  遠隔制御部
【図１】
0003591040.tif 000002
【図２】
0003591040.tif 000003